(57)【特許請求の範囲】
【請求項１】
直流電力を平滑化する平滑用コンデンサと、該平滑用コンデンサで平滑化された直流電力を交流電力に変換する電力変換部とを筐体に内装したインバータ装置であって、
前記平滑用コンデンサを前記筐体の天面側に配置し、前記平滑用コンデンサに接続され且つ前記筐体の天面板上に配置した直流母線に接続される直流入力端子を天面側に配置し、
前記筐体の天面と前記平滑用コンデンサとの間に冷却ファンユニットを配置し、
前記冷却ファンユニットを前記直流入力端子と対面しない第１ユニット部と、前記直流入力端子と対面する第２ユニット部とに分割し、
前記筐体は、前記第１ユニット部を前記直流入力端子と干渉することなく脱着可能に収納する第１ユニット部収納領域と、該第１ユニット部収納領域に連接して前記第２ユニット部を当該第１ユニット部収納領域との間でスライド可能に収納する第２ユニット部収納領域とが形成されていることを特徴とするインバータ装置。
【請求項２】
前記平滑用コンデンサを前記筐体の天面側に配置し、前記平滑用コンデンサに接続された直流入力端子に一端が接続され、他端が当該筐体の天面板を貫通して突出して前記直流母線に接続される接続導体を配置したことを特徴とする請求項１に記載のインバータ装置。
【請求項３】
前記接続導体は、前記直流入力端子及び直流母線の正極側及び負極側を個別に接続する一対のブスバーで構成され、前記筐体の天面板に形成された開口部に固定された絶縁プレートによって互いの表裏面が同一平面上となるように所定間隔を保って支持されていることを特徴とする請求項２に記載のインバータ装置。
【請求項４】
前記第１ユニット部及び第２ユニット部のそれぞれは、冷却ファンを固定保持する支持
フレームを有し、該支持フレームの前端側に冷却ファンの外部に突出した固定ねじを挿通
する挿通孔が形成されていることを特徴とする請求項１乃至３の何れか１項に記載のインバータ装置。
【請求項５】
前記筐体の底面側に前記電力変換部を配置し、該電力変換部の底面側に交流出力端子が配置され、該交流出力端子に接続された交流出力線が当該筐体の底面側から導出されていることを特徴とする請求項１乃至４の何れか１項に記載のインバータ装置。
【発明の詳細な説明】
【技術分野】
【０００１】
本発明は、直流電力を平滑化する平滑用コンデンサとこの平滑用コンデンサで平滑化された直流電力を交流電力に変換する電力変換部とを筐体に内装したインバータ装置。
【背景技術】
【０００２】
電力変換装置であるインバータ装置は、直流電力を平滑化する平滑用コンデンサ、この平滑用コンデンサで平滑化された直流電力を交流電力に変換する例えば絶縁ゲートバイポーラトランジスタ（ＩＧＢＴ）等で構成される電力変換部、この電力変換部の半導体素子や平滑用コンデンサを冷却する冷却ファンなどを備えている。
ここで、冷却ファン、電力変換部及び平滑用コンデンサからなる主回路部は通常筐体内に配置され、筐体の天面側に冷却ファンが配置され、その下段側に電力変換部が配置され、最下段の底板側に平滑用コンデンサが配置されている（例えば、特許文献１参照）。
【０００３】
また、ファンユニット交換時のねじや塵埃などの異物が主回路部に入るのを防止するために、筐体の上部空間に複数のファンを装着したファンユニットを収納し、筐体の下部空間にＩＧＢＴ等の発熱部品を含む電力変換部を収納し、筐体の前面で開口する開口部をカバーで閉塞し、筐体内部に、上部空間及び下部空間を仕切り、通気穴を形成した仕切板を配置するとともに、上部空間を閉塞する上部カバー及び下部空間を閉塞する下部カバーとを備えたインバータ装置も提案されている（特許文献２参照）。
【０００４】
ところで、上記構成を有するインバータ装置の場合、一般的には、図１４に示すように、交流電源１００から供給される交流電力をコンバータ１０１で直流電力に変換し、この直流電力を複数のインバータ装置１０２ａ〜１０２ｄの底板側に配置された直流入力端子１０３ｐ及び１０３ｎに供給する。そして、主回路部で直流電力を交流電力に変換して同様に底板側に配置された交流出力端子１０４ｕ、１０４ｖ及び１０４ｗから外部の負荷としての例えばモータＭ１〜Ｍ４に供給する。
【０００５】
具体的には、図１５に示すように、インバータ装置１０５ａ及び１０５ｂの下方に配設された直流母線１０６ｐ及び１０６ｎに、電線１０７ａ及び１０７ｂを介してインバータ装置１０５ａ及び１０５ｂの底面側の直流入力端子（図示せず）に接続される。
一方、交流出力端子１０４ｕ〜１０４ｗから出力される交流電力も、インバータ装置１０５ａ及び１０５ｂの底面側の交流出力端子（図示せず）からモータ接続線１０８ｕ〜１０８ｗを介して外部のモータに導出される。
また、筐体内には、図１６に示すように、上段側に冷却ファンユニット１０９が配置され、その下側に電力変換部としてのＩＧＢＴモジュールユニット１１０が配置され、その下側に平滑用コンデンサユニット１１１が配置されている。
【先行技術文献】
【特許文献】
【０００６】
【特許文献１】特開２００９−２９１０５５号公報
【特許文献２】特開２０１０−９８８５８号公報
【発明の概要】
【発明が解決しようとする課題】
【０００７】
しかしながら、上記図１４〜図１６に示すインバータ装置１０５ａ，１０５ｂは、直流入力端子１０３ｐ，１０３ｎ及び交流出力端子１０４ｕ〜１０４ｗが筐体の底板側に配置されているので、顧客配線が全てインバータ装置の底面部に密集し、大容量インバータ装置になると、顧客接続電線が底面に密集することに加え、電線径も太くなるため、顧客での電線同士の干渉も考慮した配線スペースの確保と、実際の配線作業が困難となるという未解決の課題がある。
そこで、本発明は、上記従来例の未解決の課題に着目してなされたものであり、インバータ装置の底面側に顧客接続電線が密集することを防止して、配線スペースの確保と実際の配線作業を容易に行うことができるインバータ装置を提供することを目的としている。
【課題を解決するための手段】
【０００８】
上記目的を達成するために、本発明の一の形態に係るインバータ装置は、直流電力を平滑化する平滑用コンデンサと、該平滑用コンデンサで平滑化された直流電力を交流電力に変換する電力変換部とを筐体に内装したインバータ装置であって、前記平滑用コンデンサを前記筐体の天面側に配置し、前記平滑用コンデンサに接続され且つ前記筐体の天面板上に配置した直流母線に接続される直流入力端子を天面側に配置し、前記筐体の天面と前記平滑用コンデンサとの間に冷却ファンユニットを配置し、前記冷却ファンユニットを前記直流入力端子と対面しない第１ユニット部と、前記直流入力端子と対面する第２ユニット部とに分割し、前記筐体は、前記第１ユニット部を前記直流入力端子と干渉することなく脱着可能に収納する第１ユニット部収納領域と、該第１ユニット部収納領域に連接して前記第２ユニット部を当該第１ユニット部収納領域との間でスライド可能に収納する第２ユニット部収納領域とが形成されていることを特徴としている。
【０００９】
また、本発明の他の形態に係るインバータ装置は、前記平滑用コンデンサを前記筐体の天面側に配置し、前記平滑用コンデンサに接続された直流入力端子に一端が接続され、他端が当該筐体の天面板を貫通して突出して前記直流母線に接続される接続導体を配置したことを特徴としている。
また、本発明の他の形態に係るインバータ装置は、前記接続導体は、前記直流入力端子及び直流母線の正極側及び負極側を個別に接続する一対のブスバーで構成され、前記筐体の天面板に形成された開口部に固定された絶縁プレートによって互いの表裏面が同一平面上となるように所定間隔を保って支持されていることを特徴としている。
【００１１】
また、本発明の他の形態に係るインバータ装置は、前記第１ユニット部及び第２ユニット部のそれぞれは、冷却ファンを固定保持する支持フレームを有し、該支持フレームの前端側に冷却ファンの外部に突出した固定ねじを挿通する挿通孔が形成されていることを特徴としている。
また、本発明の他の形態に係るインバータ装置は、前記筐体の底面側に前記電力変換部を配置し、該電力変換部の底面側に交流出力端子が配置され、該交流出力端子に接続された交流出力線が当該筐体の底面側から導出されていることを特徴としている。
【発明の効果】
【００１２】
本発明に係るインバータ装置によれば、筐体の天面側に直流入力端子を配置し、この直流入力端子を筐体の天面板上に配置した直流母線に直接又は間接的に接続するようにしたので、直流入力端子と交流出力端子とを上下に分けることができ、配線の密集を防止して配線の作業性を向上させることができる。
ここで、直流入力端子と直流母線との間をブスバー等で構成される接続導体で接続することにより、省スペースでの配線が可能となる。
【００１３】
また、直流入力端子が接続される平滑用コンデンサを筐体の天面側に配置することにより、接続導体の長さを短くしてコスト低減を図ることができる。
さらに、直流入力端子の裏側に冷却ファンユニットを配置する場合に、この冷却ファンユニットを直流入力端子に対面しない第１ファンユニット部と、直流入力端子に対面する第２ファンユニット部とに分割することにより、直流入力端子を避けて冷却ファンユニットの交換を容易に行うことができる。
【図面の簡単な説明】
【００１４】
【図１】本発明によるインバータ装置の一実施形態を示す斜視図である。
【図２】筐体内の部品配置関係を示す模式図である。
【図３】筐体内の接続関係の具体例を示す斜視図である。
【図４】筐体へのブスバーの取り付けを完了した状態の斜視図である。
【図５】筐体の天面板を拡大して示す斜視図である。
【図６】筐体へのブスバーの取り付け動作を示す図であって、（ａ）は筐体へのブスバー取り付け時を示す斜視図、（ｂ）はブスバーを保持する絶縁プレートの斜視図である。
【図７】ブスバーに直流母線を接続した状態を示す斜視図である。
【図８】冷却ファンユニットを示す斜視図である。
【図９】支持フレームに冷却ファンを取り付けた状態を示す模式図である。
【図１０】支持フレームを示す要部を拡大した斜視図である。
【図１１】冷却ファンユニットの取り外し動作を説明する図である。
【図１２】インバータ装置を含む回路図である。
【図１３】従来例にブスバーを接続する場合の模式図である。
【図１４】従来例のインバータ装置を含む回路図である。
【図１５】従来例のインバータ装置の斜視図である。
【図１６】従来例の筐体内部配置関係を示す模式図である。
【発明を実施するための形態】
【００１５】
以下、本発明に係るインバータ装置の一実施形態を図面に基づいて説明する。
図１は、本発明に係るインバータ装置を示す斜視図である。
図中、１はインバータ装置であって、このインバータ装置１は、前面を開放した筐体１０を有し、この筐体１０の前面開口部が、上部前面カバー１１、中部前面カバー１２及び下部前面カバー１３で覆われている。
【００１６】
筐体１０の内部には、図２に模式的に示すように、筐体１０の底面板１０ｂに近い下段に直流電力を例えば３相交流電力に変換する電力変換部としての絶縁ゲートパイポーラトランジスタ（以下、ＩＧＢＴと称す）モジュールユニット２０が配置され、その上側の中段に直流電力を平滑化してＩＧＢＴモジュールユニット２０に供給する複数例えば１５個の平滑用コンデンサ３０を装着したコンデンサユニット３１が配置され、その上側に天面板１０ｂに対向して冷却ファンユニット４０が配置されている。
【００１７】
ここで、ＩＧＢＴモジュールユニット２０は、図示しない冷却フィンに上下それぞれ例えば６個ずつ装着されたＩＧＢＴモジュール２２によってインバータ回路の上アーム及び下アームが形成され、上アームを構成するＩＧＢＴモジュール２２と下アームを構成するＩＧＢＴモジュール２２の出力端子がそれぞれブスバー２３ｕ、２３ｖ及び２３ｗで接続され、これらブスバー２３ｕ、２３ｖ及び２３ｗに下方に延長して筐体１０の下方の底面板１０ｂに対向するように交流出力端子２４ｕ、２４ｖ及び２４ｗが接続されている。なお、２１は、ＩＧＢＴモジュール２２と平滑用コンデンサ３０とをヒューズ２５を介して接続する正極側導体板である。
【００１８】
また、コンデンサユニット３１は、上段の各コンデンサの負極側端子に接続された負極側導体板３２Ｎと、この負極側導体板３２Ｎの上面側に絶縁されて配置された中段の各コンデンサの正極側端子と下段の各コンデンサの負極側端子とを接続する中間導体板３２Ｍ１と、この中間導体板３２Ｍ１の中段部及び負極側導体板３２Ｎの上段部の上に絶縁されて配置された上段の各コンデンサの正極側端子と中段の各コンデンサの負極側端子とを接続する中間導体板３２Ｍ２と、中間導体板３２Ｍ１の下段部の上に絶縁されて配置された下段の各コンデンサの正極側端子に接続された正極側導体板３２Ｐとを備えている。
【００１９】
さらに、各平滑用コンデンサ３０は、その正極側端子及び負極側端子側に装着された拘束バンド３６を図示しないコンデンサ取付板にねじ止めすることにより、負極側導体板３２Ｎの背面側に固定支持されている。
そして、正極側導体板３２Ｐ及び負極側導体板３２Ｎから正極側直流入力端子３７及び負極側直流入力端子３８が導出されている。正極側直流入力端子３７は正極側導体板３２Ｐの上端部に形成された折り曲げ板部３３の左端に固定された接続端子板３７ａと、この接続板部３７ａの上端から左方に延長する接続板部３７ｂと、この接続板部３７ｂの左端から前方側に延長するＬ字状板部３７ｃと、このＬ字状板部３７ｃの左端から上方に延長する連結板部３７ｄとで構成されている。
【００２０】
負極側直流入力端子３８は、負極側導体板３２Ｎの上端に形成された折り曲げ板部３４の左端に固定されたＬ字状板部３８ａと、このＬ字状板部３８ａの正極側直流入力端子３７の接続板部３７ｃより前方側の端部から正極側直流入力端子３７の接続板部３７ｃと平行に延長する接続板部３８ｂと、この接続板部３８ｂの左端から前方側に延長する正極側直流入力端子３７のＬ字状板部３７ｄの右方側に延長するＬ字状板部３８ｃと、このＬ字状板部３８ｃから上方に正極側直流入力端子３７の連結板部３７ｅと平行で且つ板面が同一平面上に位置するように延長する連結板部３８ｄとで構成されている。
【００２１】
そして、正極側直流入力端子３７及び負極側直流入力端子３８には、図４に示すように筐体１０の天面板１０ａの上側に突出延長する銅製のブスバー３９Ｐ及び３９Ｎがボルト締めされている。ブスバー３９Ｐは、正極側直流入力端子３７に連結される連結板部３９ａと、この連結板部３９ａの筐体１０の天面板１０ａより上方に突出した端部から前方に延長する母線取付板部３９ｂで構成されている。また、ブスバー３９Ｎは、負極側直流入力端子３８に連結される連結板部３９ｃと、この連結板部３９ｃの筐体１０の天面板１０ａより上方に突出した端部から後方に延長する母線取付板部３９ｄとで構成されている。
【００２２】
一方、筐体１０の天面板１０ａの正極側直流入力端子３７及び３８の連結板部３７ｅ及び３８ｅに対向する左前方位置には、図５に示すように、開口１０ｃが形成されている。そして、この開口１０ｃを閉塞するように図４及び図６に示す絶縁プレート１０ｄがネジ止めされて配設されている。この絶縁プレート１０ｄは、図６（ｂ）に示すように、前方側及び後方側に２分割された構成を有し、分割面の中央位置にブスバー３９Ｐ及び３９Ｎの連結板部３９ａ及び３９ｃを挿通する挿通孔１０ｅ及び１０ｆが形成されている。
【００２３】
そして、正極側直流入力端子３７及び負極側直流入力端子３８へのブスバー３９Ｐ及び３９Ｎの取付けは、図６（ａ）に示すように、筐体１０の天面板１０ａの開口１０ｃに固定された絶縁プレート１０ｄの上方側からブスバー３９Ｐ及び３９Ｎを絶縁プレート１０ｄの挿通孔１０ｅ及び１０ｆに挿通し、次いで連結板部３９ａ及び３９ｃを正極側直流入力端子３７及び負極側直流入力端子３８の連結板部３７ｅ及び３８ｄにボルト締めすることにより行う。
【００２４】
そして、図７に示すように、ブスバー３９Ｐ及び３９Ｎの母線取付板部３９ｂ及び３９ｄに筐体１０の天面板１０ａの上方側で正極側直流母線６０Ｐ及び負極側直流母線６０Ｎをボルト締めする。
さらに、冷却ファンユニット４０は、図１１に示すように、筐体１０の天面板１０ａの後方側に形成された３つの開口部４１に対向するように筐体１０の上段に配置されている。この冷却ファンユニット４０は、図８に示すように、筐体１０に配置された正極側直流入力端子３７及び負極側直流入力端子３８に対向しない第１ユニット部４２と、正極側直流入力端子３７及び負極側直流入力端子３８に対向する第２ユニット部４３とに左右に分割されている。これら第１ユニット部４２及び第２ユニット部４３にはそれぞれユニットフレーム４４に冷却ファン４５が２つずつ左右方向に並べて配置されている。第１ユニット部４２には、ユニットフレーム４４の前端にサブユニット４４ｓが取付けられ、このサブユニット４４ｓにも３つの小型ファン４４ｆが配置されている。
【００２５】
また、第１及び第２ユニット部４２及び４３は、図１０に示すように、ユニットフレーム４４の冷却ファン４５を装着する水平板部４６とその前端に接続された前面板部４７との連結部に、冷却ファン４５の固定ねじ４８を挿通するスリット４９が形成されている。このため、冷却ファン４５の固定ねじ４８がスリット４９内に挿通されることにより、冷却ファン４５の底面がユニットフレーム４４の水平板部４６に密着させることができる。
【００２６】
そして、ユニットフレーム４４の前面板部４７にカバー５０が固定され、このカバー５０には上下端部に筐体１０の天面板１０ａと平行に配設され後端側に排気通路を形成した仕切板部１５で仕切られた収納空間１０ｇの後端側に形成された収納空間１０ｇより一回り狭いユニット装着部１０ｈの前面側に当接する当接板部５０ａ及び５０ｂが形成されている。
【００２７】
冷却ファンユニット４０を筐体１０のユニット装着部１０ｈに装着するには、先ず、筐体１０の上部前面カバー１１を取り外した状態で、第２ユニット部４３を収納空間１０ｇの正極側直流入力端子３７及び負極側直流入力端子３８が存在しない右半部から挿入して当接板部５０ａ及び５０ｂをユニット装着部１０ｈの前端面に当接させる。次いで、第２ユニット部４３を左方にスライドさせて正極側直流入力端子３７及び負極側直流入力端子３８の背後に位置決めし、この状態で、当接板部５０ａ及び５０ｂをユニット装着部１０ｈにビス止めする。次いで、第２ユニット部４３の右側に第１ユニット部４２を装着して当接板部５０ａ及び５０ｂをユニット装着部１０ｈにビス止めする。その後、上部前面カバー１１を筐体１０に装着する。
【００２８】
また、冷却ファンユニット４０を交換する場合には、先ず、図１１（ａ）に示すように、第１ユニット部４２の当接板部５０ａ及び５０ｂのビス止めを外してから第１ユニット部４２をそのまま前方に引き抜く。次いで、第２ユニット部４３の当接板部５０ａ及び５０ｂのビス止めをはずしてから第２ユニット部４３を、図１１（ｂ）に示すように、右側にスライドさせ、図１１（ｃ）の右端位置までスライドさせたら第２ユニット部４３を図１１（ｄ）に示すように前方に引き抜く。
【００２９】
次に、上記実施形態の動作を説明する。
インバータ装置１を使用して負荷として例えば電動モータ２を駆動する場合には、図１２に示すように、交流電源６１に交流を直流に変換するコンバータ６２を接続し、このコンバータ６２から直流電力を直流母線６０Ｐ及び６０Ｎに出力する。そして、この直流母線６０Ｐ及び６０Ｎに例えば複数４台のインバータ装置１の直流入力端子を並列に接続する。各インバータ装置１の交流出力端子には電動モータ２がそれぞれ接続される。
【００３０】
このインバータ装置１の取付けを行う場合には、先ず、上部前面カバー１１を取り外し、前述した図４に示すように、筐体１０内の仕切板１５より天面板１０ａ側に突出した正極側直流入力端子３７及び負極側直流入力端子３８の連結板部３７ｅ及び３８ｄに、ブスバー３９Ｐ及び３９Ｎをその母線取付板部３９ｂ及び３９ｄを筐体１０の天面板１０ａより上方に突出させた状態でボルト締めする。
【００３１】
次いで、ブスバー３９Ｐ及び３９Ｎの母線取付板部３９ｂ及び３９ｄに直流母線６０Ｐ及び６０Ｎをボルト締めして直流母線５０Ｐ及び５０Ｎの接続作業を終了する。このように、直流母線６０Ｐ及び６０Ｎとの接続をブスバー３９Ｐ及び３０Ｎを使用して行うことにより、省スペースでの配線作業を実現することができる。
一方、インバータ装置１と電動モータ２との接続は、筐体１０の下部前面カバー１３を取り外してＩＧＢＴモジュールユニット２０の交流出力端子２４ｕ、２４ｖ及び２４ｗに電動モータ２のＵ相、Ｖ相及びＷ相接続線を接続することにより交流出力端子の接続作業を終了する。その後、上部前面カバー１１及び下部前面カバー１３を筐体１０に装着することより、全ての接続作業を完了する。
【００３２】
このように、本実施形態によると、筐体１０の天面板１０ａ側に直流入力端子３７及び３８が配置され、筐体１０の底面板１０ｂ側に交流出力端子２４ｕ〜２４ｗが配置されているので、前述した従来例のように筐体１０の底面板１０ｂ側で直流母線及び電動モータとの接続を行う場合のように配線が密集することがなく、上下に分散されることになる。このため、直流母線６０Ｐ及び６０Ｎとの接続作業と電動モータ２の接続線の接続作業とを個別に行うことができ、両接続作業を短時間で容易に行うことができ、作業性を向上させることができるとともに、大容量インバータ装置であって配線径が太い場合でも配線スペースを容易に確保することができる。
【００３３】
しかも、直流入力端子３７及び３８を天面板１０ａ側の上部に配置し、これに応じて平滑用コンデンサ３０を装着したコンデンサユニット３１を冷却ファンユニット４０の下側に配置するようにしたので、直流入力端子３７及び３８を構成するブスバーのトータル長さを短くすることができ、この分製造コストを削減することができる。
因みに、筐体１０内のコンデンサユニット３１とＩＧＢＴモジュールユニット２０との配置を従来例と同様に、コンデンサユニット３１を下段側に、ＩＧＢＴモジュールユニット２０を中段側に配置した場合には、図１３に示すように、直流入力端子及び交流出力端子の双方でこれらを構成するブスバーのトータル長さが長くなり、この分製造コストが上昇する。
【００３４】
したがって、本実施形態では、作業性の向上とブスバーの短縮による製造コストの削減とを同時に行うことができる。
一方、インバータ装置１の冷却ファンユニット４０を交換も点検を行う場合には、前述した図１１（ａ）〜（ｄ）に示すように、先ず、上部前面カバー１１を取り外して第１ユニット部４２の当接板部５０ａ及び５０ｂのビス止めを外してから、第１ユニット部４２を前面側に抜き出し（図１１（ａ））、次いで、第２ユニット部４３の当接板部５０ａ及び５０ｂのビス止めを外してから第２ユニット部４３を第１ユニット部４２の装着位置まで右方にスライドさせ（図１１（ｂ），（ｃ））、次いでで第２ユニット部４３を前方に引き抜くことにより、第２ユニット部４３をその前方に配置された正極側直流入力端子３７及び負極側直流入力端子３８と干渉することなく、安全に且つ容易に取り出すことができる。
【００３５】
その後、第１ユニット部４２及び第２ユニット部４３をユニット装着部１０ｈに装着するには、上記とは逆に、第２ユニット部４３を右側からユニット装着部１０ｈに挿入し、ついで第２ユニット部４３を左側にスライドさせて位置決めしてからビス止めを行い、次いで第１ユニット部４２を前面側からユニット装着部１０ｈに装着してビス止めすることにより、安全且つ容易に各ユニット部４２及び４３を装着することができる。
【００３６】
なお、上記実施形態においては、正極側直流入力端子３７及び負極側直流入力端子３８を、その板面が同一平面上となるように配置した場合について説明したが、これに限定されるものではなく、前後方向にずらして配置するようにしてもよい。
また、上記実施形態においては、正極側直流入力端子３７及び負極側直流入力端子３８を筐体１０内の天面板１０ａに対向する前左側に配置する場合について説明したが、これに限定されるものではなく、正極側直流入力端子３７及び負極側直流入力端子３８を天面板１０ａに対向する前右側に配置するようにしてもよく、この場合には、第１ユニット部４２を左側に、第２ユニット部４３を右側に配置するようにすれもよい。
【００３７】
また、上記実施形態においては、正極側直流入力端子３７及び負極側直流入力端子３８と直流母線６０Ｐ及び６０Ｎとの接続をブスバー３９Ｐ及び３９Ｎを介して行うようにした場合について説明したが、これに限定されるものではなく、正極側直流入力端子３７及び負極側直流入力端子３８を絶縁プレート１０ｄを介して直接筐体１０の天面板１０ａの上方に突出させるようにしてもよい。
また、前記実施形態においては、絶縁プレート１０ｄが２分割されている場合について説明したが、これに限定されるものではなく、絶縁プレート１０ｄを一体物で構成するようにしてもよい。
【符号の説明】
【００３８】
１…インバータ装置、２…電動モータ、１０…筐体、１０ａ…天面板、１０ｂ…底面板、１０ｃ…開口部、１０ｄ…絶縁プレート、１０ｇ…収納空間、１０ｈ…ユニット装着部、１１…上部前面カバー、１２…中部前面カバー、１３…下部前面カバー、２０…ＩＧＢＴモジュールユニット、２１…プリント基板、２２…ＩＧＢＴモジュール、２３ｕ〜２３ｗ…ブスバー、２４ｕ〜２４ｗ…交流出力端子、３０…平滑用コンデンサ、３１…コンデンサユニット、３２Ｐ…正極側導体板、３２Ｎ…負極側導体板、３７…正極側直流入力端子、３８…負極側直流入力端子、３９Ｐ，３９Ｎ…ブスバー、４０…冷却ファンユニット、４１…開口部、４２…第１ユニット部、４３…第２ユニット部、４４…ユニットフレーム、４５…冷却ファン、６０Ｐ，６０Ｎ…直流母線、６１…交流電源、６２…コンバータ
【図１】
0005879726.tif 000002
【図２】
0005879726.tif 000003
【図３】
0005879726.tif 000004
【図４】
0005879726.tif 000005
【図５】
0005879726.tif 000006
【図６】
0005879726.tif 000007
【図７】
0005879726.tif 000008
【図８】
0005879726.tif 000009
【図９】
0005879726.tif 000010
【図１０】
0005879726.tif 000011
【図１１】
0005879726.tif 000012
【図１２】
0005879726.tif 000013
【図１３】
0005879726.tif 000014
【図１４】
0005879726.tif 000015
【図１５】
0005879726.tif 000016
【図１６】
0005879726.tif 000017